(57)【要約】【課題】  顧客および販売員の利便性を高めることができる対面販売用計量装置を提供する。【解決手段】  販売員側表示部２２は、タッチパネル機能を使用した入力に基づいて、商品の計量処理用の操作画面と、ＰＯＰ広告の作成処理用の操作画面と、を切替表示可能とされている。また、作成部４７は、作成処理用の操作画面に切り替えられる直前において、計量処理用の操作画面で選択されていた商品につき、該商品のＰＯＰ広告を作成可能な状態となる。一方、計量部１０は、計量処理用の操作画面に切り替えられる直前において、作成処理用の操作画面で選択されていた商品につき、該商品の計量処理を実行可能な状態となる。したがって、計量装置１は、計量部１０による計量処理と、作成部４７によるＰＯＰ広告の作成処理との連携を良好に図ることができる。【選択図】図２
2007225475.tif 000002
【特許請求の範囲】
【請求項１】
販売員が、顧客と対面しつつ、商品を販売可能な対面販売用計量装置であって、
(a)  商品を計量する計量部と、
(b)  前記計量部で計量可能な商品のＰＯＰ広告を作成する作成部と、
(c)  販売員からの入力を受け付け可能な入力部と、
(d)  前記入力部からの入力に基づいて、商品の計量処理用の第１操作画面と、ＰＯＰ広告の作成処理用の第２操作画面と、を切替表示可能な表示部と、
(e)  データを記憶する記憶部と、
を備えることを特徴とする対面販売用計量装置。
【請求項２】
請求項１に記載の対面販売用計量装置において、
前記作成部は、前記第２操作画面に切り替えられる直前の前記第１操作画面で選択されていた商品につき、該商品のＰＯＰ広告を作成可能なことを特徴とする対面販売用計量装置。
【請求項３】
請求項２に記載の対面販売用計量装置において、
前記作成部は、前記第２操作画面に切り替えられる直前の前記第１操作画面で選択されていた商品につき、前記第１操作画面において該商品の属性が変更された場合、変更された属性に基づいてＰＯＰ広告を作成可能なことを特徴とする対面販売用計量装置。
【請求項４】
請求項２または請求項３に記載の対面販売用計量装置において、
(f)  各商品と画像データ関連情報とを対応付けて格納したデータベースが記憶部に記憶されており、前記第１操作画面で選択された商品に基づき、該商品と対応する画像データ関連情報を前記データベースから抽出可能な抽出部、
をさらに備え、
前記作成部は、前記第２操作画面に切り替えられる直前の前記第１操作画面で選択されていた商品につき、該商品と対応する画像データ関連情報にしたがった画像データを使用し、該商品のＰＯＰ広告を作成することを特徴とする対面販売用計量装置。
【請求項５】
請求項１ないし請求項４のいずれかに記載の対面販売用計量装置において、
前記計量部は、前記第１操作画面に切り替えられる直前の前記第２操作画面で商品の属性が変更された場合、変更された属性に基づいて計量処理を実行可能なことを特徴とする対面販売用計量装置。
【請求項６】
請求項３ないし請求項５のいずれかに記載の対面販売用計量装置において、
前記変更された属性は、商品の名称であることを特徴とする対面販売用計量装置。
【請求項７】
請求項３ないし請求項６のいずれかに記載の対面販売用計量装置において、
前記変更された属性は、商品の単価であることを特徴とする対面販売用計量装置。
【請求項８】
請求項１ないし請求項７のいずれかに記載の対面販売用計量装置において、
前記第１操作画面で選択された商品につき、該商品の属性が変更された場合に、前記作成処理を実行すべき旨を報知する報知部、
をさらに備えることを特徴とする対面販売用計量装置。
【発明の詳細な説明】
【技術分野】
【０００１】
本発明は、対面販売用計量装置に関する。
【背景技術】
【０００２】
従来より、展示販売コーナにおいて、販売員が顧客と対面しつつ商品を販売可能な値付けハカリが知られている（例えば、特許文献１）。また、従来より、ＰＯＰ広告を作成することができる印字データ作成装置が知られている（例えば、特許文献２）。
【０００３】
【特許文献１】特開２００２−０７９７１１号公報
【特許文献２】特開２００１−２０９６３４号公報
【発明の開示】
【発明が解決しようとする課題】
【０００４】
ここで、特許文献１に記載されているように、対面販売用計量装置（値付けハカリ）は、通常、展示販売コーナーに設置されている。これに対して、パーソナルコンピュータやプリンタは、通常、スーパーマーケット等のバックヤードや事務所に設置されている。そのため、パーソナルコンピュータによって実現可能な印字データ作成装置（特許文献２）は、バックヤードや事務所に設置されることになる。
【０００５】
また、展示販売コーナーでは、販売員が顧客の購買意欲に応じて商品の価格を変更することにより、顧客のニーズに対応しつつ販売促進効果を有効に高める手法が用いられている。
【０００６】
しかし、対面販売用計量装置と、印字データ作成装置とが別の場所に設置されている場合、商品価格変更後のＰＯＰ広告を作成するためには、販売員は展示販売コーナーからバックヤードや事務所まで行く必要が生じ、価格変更後のＰＯＰ広告を迅速に作成することができない。その結果、価格変更後において、実際の商品の販売価格と、ＰＯＰ広告に記載された販売価格とに不整合が生じ、有効に販売促進効果を高めることができないという問題が生じていた。
【０００７】
また、価格変更後のＰＯＰ広告を作成する場合、対面販売用計量装置だけでなく、印字データ作成装置にも変更後の商品価格を入力する必要が生じていた。そのため、販売員の作業工数が増加するという問題も生じていた。
【０００８】
そこで、本発明では、顧客および販売員の利便性を高めることができる対面販売用計量装置を提供することを目的とする。
【課題を解決するための手段】
【０００９】
上記課題を解決するため、請求項１の発明は、販売員が、顧客と対面しつつ、商品を販売可能な対面販売用計量装置であって、商品を計量する計量部と、前記計量部で計量可能な商品のＰＯＰ広告を作成する作成部と、販売員からの入力を受け付け可能な入力部と、前記入力部からの入力に基づいて、商品の計量処理用の第１操作画面と、ＰＯＰ広告の作成処理用の第２操作画面と、を切替表示可能な表示部と、データを記憶する記憶部と、を備えることを特徴とする。
【００１０】
また、請求項２の発明は、請求項１に記載の対面販売用計量装置において、前記作成部は、前記第２操作画面に切り替えられる直前の前記第１操作画面で選択されていた商品につき、該商品のＰＯＰ広告を作成可能なことを特徴とする。
【００１１】
また、請求項３の発明は、請求項２に記載の対面販売用計量装置において、前記作成部は、前記第２操作画面に切り替えられる直前の前記第１操作画面で選択されていた商品につき、前記第１操作画面において該商品の属性が変更された場合、変更された属性に基づいてＰＯＰ広告を作成可能なことを特徴とする。
【００１２】
また、請求項４の発明は、請求項２または請求項３に記載の対面販売用計量装置において、各商品と画像データ関連情報とを対応付けて格納したデータベースが記憶部に記憶されており、前記第１操作画面で選択された商品に基づき、該商品と対応する画像データ関連情報を前記データベースから抽出可能な抽出部、をさらに備え、前記作成部は、前記第２操作画面に切り替えられる直前の前記第１操作画面で選択されていた商品につき、該商品と対応する画像データ関連情報にしたがった画像データを使用した該商品のＰＯＰ広告を作成可能なことを特徴とする。
【００１３】
また、請求項５の発明は、請求項１ないし請求項４のいずれかに記載の対面販売用計量装置において、前記計量部は、前記第１操作画面に切り替えられる直前の前記第２操作画面で商品の属性が変更された場合、変更された属性に基づいて計量処理を実行可能なことを特徴とする。
【００１４】
また、請求項６の発明は、請求項３ないし請求項５のいずれかに記載の対面販売用計量装置において、前記変更された属性は、商品の名称であることを特徴とする。
【００１５】
また、請求項７の発明は、請求項３ないし請求項６のいずれかに記載の対面販売用計量装置において、前記変更された属性は、商品の単価であることを特徴とする。
【００１６】
また、請求項８の発明は、請求項１ないし請求項７のいずれかに記載の対面販売用計量装置において、前記第１操作画面で選択された商品につき、該商品の属性が変更された場合に、前記作成処理を実行すべき旨を報知する報知部、をさらに備えることを特徴とする。
【発明の効果】
【００１７】
請求項１から請求項８に記載の発明によれば、入力部からの入力により、商品の計量処理とＰＯＰ広告の作成処理とを切り替えることができる。そのため、販売員が、例えば顧客の購買意欲に応じて商品価格を変更した場合に、即時にＰＯＰ広告を作成することができ、顧客のニーズに迅速に対応することができる。その結果、商品の販売促進効果を有効に高めることができるとともに、顧客へのサービスを向上させることができる。
【００１８】
特に、請求項２に記載の発明によれば、商品の計量処理とＰＯＰ広告の作成処理との連携を図ることができ、第１操作画面で選択された商品について容易にＰＯＰ広告を作成することができる。
【００１９】
特に、請求項３に記載の発明によれば、第１操作画面で変更された属性を、ＰＯＰ広告の作成処理に反映させることができる。そのため、ＰＯＰ広告をさらに容易に作成することができる。
【００２０】
特に、請求項５に記載の発明によれば、第２操作画面で変更された属性を、商品の計量処理に反映させることができる。そのため、商品をさらに容易に計量することができる。
【００２１】
特に、請求項８に記載の発明によれば、第１操作画面で商品属性が変更された場合において、販売員はＰＯＰ広告の作成処理を実行すべき旨の報知を受けることができる。そのため、ＰＯＰ広告に記載された商品属性と、計量処理で使用される商品属性とが不整合となることを防止することができる。
【発明を実施するための最良の形態】
【００２２】
以下、図面を参照しつつ本発明の実施の形態について詳細に説明する。
【００２３】
＜１．販売用計量装置のハードウェア構成＞
図１は、本発明の実施の形態における販売用計量装置１のハードウェア構成の一例を示す図であり、販売用計量装置１を販売員側から見た場合の図である。
【００２４】
ここで、対面販売用計量装置（以下、単に、「計量装置」とも呼ぶ）１は、販売員が顧客と対面してコミュニケーションを取りつつ、顧客に対して商品を販売可能なハカリである。計量装置１は、例えば、スーパー、百貨店などの食料品売り場や専門店で使用され、計量装置の機能、ＰＯＳレジスターの機能、およびＰＯＰ広告の作成機能を１台に集約したものである。
【００２５】
図１に示すように、計量装置１は、主として、計量部１０と、操作パネル２０と、計量情報表示部２５と、ラベル印刷部３０と、制御部４０と、大容量記憶部４３と、ＰＯＰ広告印刷部５０と、を備える。
【００２６】
計量部１０は、ロードセル（図示省略）によって検出された電気量（電気抵抗値）を変換することにより、計量皿１５上に載置された商品（計量対象物）の重量を計量する。商品には、例えば、肉のように単位重量当たりの単価が定められた商品が含まれる。
【００２７】
操作パネル２０は、展示販売コーナーの販売員側に配置されており、図１に示すように、入力キー２１と、販売員側表示部２２とを有する。販売員側表示部２２は、いわゆるコンピュータのディスプレイとしての機能と、タッチパネルとしての機能と、を有する。したがって、販売員は、販売員側表示部２２の画面２２ａに表示された内容に基づき、タッチパネル機能を使用した入力作業（例えば、画面２２ａに表示されたコマンドボタンを押すこと）を行うことにより、計量装置１に対して所定の処理を実行させることができる。
【００２８】
入力キー２１は、販売員側表示部２２付近に配設されており、図１に示すように、数字キーや取消キーなど複数のキーによって構成されている。したがって、販売員は、画面２２ａの表示に基づき、計量装置１に商品の価格を入力したり、計量装置１に対して所定の処理を実行させることができる。
【００２９】
このように、本実施の形態において、入力キー２１および販売員側表示部２２は、販売員からの入力を受け付ける入力部として使用される。
【００３０】
計量情報表示部２５は、図１に示すように、展示販売コーナーの顧客側に配置されている。計量情報表示部２５には、例えば、計量中の商品の重量、単価、商品価格（値段）が表示される。また、計量情報表示部２５には、商品の売り出し情報や、お勧め商品に関する情報のように顧客の次回の来店につなげる販促メッセージが表示される。これにより、アピール効果を高めるなど対面販売をより強力にサポートすることができる。
【００３１】
ラベル印刷部３０は、例えば熱転写方式等の印刷方式により、商品に貼付されるラベル３２に対して、文字、図形および記号等の印刷を実行する。ここで、ラベル３２には、計量された商品に関する情報（例えば、商品の重量、加工日、販売店名等）が印刷される。
【００３２】
制御部４０は、図１に示すように、プログラムや変数等を格納するメモリ４１と、メモリ４１に格納されたプログラムに従い、所定の処理を実行するＣＰＵ４２と、を有する。したがって、ＣＰＵ４２がメモリ４１に格納されたプログラムに従った処理を実現することにより、後述する商品の計量処理、およびＰＯＰ広告の作成処理が、所定のタイミングで実行される。
【００３３】
ＰＯＰ広告印刷部５０は、計量部１０の本体部９０とは別体に設けられており、例えばインクジェット方式や電子写真方式によってＰＯＰ広告を印刷する。図１に示すように、ＰＯＰ広告印刷部５０と本体部９０とは、信号線４０ａによって電気的に接続されている。
【００３４】
ここで、ＰＯＰ広告とは、商品の販売場所（例えば、展示販売コーナー）で使用される店頭広告である。ＰＯＰ広告には、例えば、商品の特徴や価格が記載されている。これにより、顧客の購買意欲を向上させ、商品の販売促進効果を有効に高めることができる。
【００３５】
＜２．販売用計量装置の機能構成＞
図２は、計量装置１の機能構成の一例を示すブロック図である。ここでは、図２を参照しつつ、計量装置１の機能構成について説明する。
【００３６】
大容量記憶部４３は、シリコンディスクドライブやハードディスクドライブ等のようにメモリ４１と比較して記憶容量の大きな素子によって構成された記憶部である。図２に示すように、大容量記憶部４３は、信号線４０ａを介して制御部４０と電気的に接続されており、必要に応じてメモリ４１との間でデータの授受を行う。また、図２に示すように、大容量記憶部４３には、少なくとも、商品テーブル４３ａと、画像データ４３ｂとが記憶されている。
【００３７】
図３は、商品テーブル４３ａのデータ構造の一例を示す図である。商品テーブル４３ａは、いわゆるデータベースであり、商品テーブル４３ａには計量装置１で計量される商品に関する情報が登録される。図３に示すように、商品テーブル４３ａは、主として、「商品ＩＤ」、「商品名」、および「画像データ格納場所」の各フィールド（列）を有する。
【００３８】
「商品ＩＤ」フィールドには、商品テーブル４３ａの各レコード（行）を一意に識別するために使用される値が格納されている。また、「商品名」フィールドには、各商品の名称が格納されている。例えば、「商品ＩＤ」が「２０１００１」となるレコードの商品名は「ポテトサラダ」であることが分かる。
【００３９】
また、「画像データ格納場所」フィールドには、画像データに関連する情報（例えば、各商品の画像データが格納されたフォルダと、画像データのファイル名とからなる文字列）が格納されている。例えば、「商品ＩＤ」が「２０１００２」となるレコード（商品名：大根サラダ）と対応する画像データは、「Ｃ：￥ａｂｃｄ￥１００￥ＸＸＸ」フォルダに、「ｒｓｔ．ｊｐｇ」というファイルとして格納されている。このように、商品テーブル４３ａには、各商品と画像データとが対応付けて格納されている。
【００４０】
表示処理制御部４４は、図２に示すように、販売員側表示部２２、および計量情報表示部２５と、信号線４０ａを介して電気的に接続されている。これにより、販売員側表示部２２と、計量情報表示部２５とには、表示処理制御部４４からの画像信号に基づいた情報が表示される。また、表示処理制御部４４は、販売員側表示部２２について、タッチパネル機能を利用した入力作業が実行されたか否かの監視処理も実行する。
【００４１】
図４は、商品の計量処理用の操作画面（第１操作画面）６０の一例を示す図である。図５および図６は、ＰＯＰ広告の作成処理用の操作画面（第２操作画面）７０、８０の一例を示す図である。
【００４２】
図４に示すように、計量処理用の操作画面６０の上部には、商品名を表示する商品名エリア６１と、風袋重量を表示する風袋エリア６２と、計量された商品の重量を表示する重量エリア６３と、商品の単価を表示する単価エリア６４と、商品の価格を表示する価格エリア６５とが設けられている。
【００４３】
これらエリアのうち、商品名エリア６１、風袋エリア６２、および単価エリア６４は、それぞれ商品名、風袋重量、および単価を変更するためのコマンドボタンとしても機能する。例えば、販売員が単価エリア６４を押すと、単価エリア６４が反転表示され、単価エリア６４が編集可能となる。そして、販売員が、入力キー２１を使用して新たな単価を入力すると、商品の単価が変更される。すなわち、操作画面６０において、商品名エリア６１、および単価エリア６４が押されると、商品属性の変更処理が可能な状態となる。
【００４４】
また、操作画面６０の下部には、計量対象となる商品の選択に使用される複数の商品ボタン６６が配置される。販売員がこれら商品ボタン６６のうち１つを押すと、対応する商品を計量可能状態となる。例えば、商品ボタン６６ａが押されると、ポテトサラダが計量可能状態となる（図４参照）。
【００４５】
また、操作画面６０の右端部付近には、上から順番に「メニュー」、「ゼロ」、「加算」、「ページ」、「機能」、「手動」、「空送り」、および「ＰＯＰ広告作成」のように、複数の機能ボタン６９が配置されている。販売員がこれら機能ボタン６９を押すと、対応する処理が実行される。例えば、ＰＯＰ広告作成ボタン６９ａが押されると、販売員側表示部２２にはＰＯＰ広告の作成処理用の操作画面７０が表示される。
【００４６】
図５に示すように、ＰＯＰ広告の作成処理用の操作画面（第２操作画面）７０の上部には、ＰＯＰ広告の作成処理を終了させて操作画面６０に戻るための終了ボタン７１と、作成したＰＯＰ広告を印刷するための印刷ボタン７２と、ＰＯＰ広告のレイアウト変更に使用される操作画面８０（図６参照）を表示するためのイメージ表示ボタン７３と、作成したＰＯＰ広告を保存するための保存ボタン７４と、が設けられている。
【００４７】
また、操作画面７０の中央付近には、ＰＯＰ広告を作成可能な商品のリスト７８を表示する商品リストエリア７５が設けられている。商品リストエリア７５に表示されたリスト７８は、図５に示すように、主として、「商品ＩＤ」、「商品名」、「レイアウト」、「規格」、および「単価」の各フィールド（列）を有する。
【００４８】
「商品ＩＤ」フィールドには、リスト７８に表示可能なレコード（行）を一意に識別するために使用される値が格納されている。また、「商品名」フィールドには、各商品の名称が格納されている。また、「レイアウト」フィールドには、作成されるＰＯＰ広告のレイアウトに関する情報（例えば、ＰＯＰ広告が印刷される用紙のサイズ）が格納されている。
【００４９】
また、「単価」フィールドには、各商品の単位量あたりの価格が格納される。さらに、「規格」フィールドには、商品の性状によって定まる情報が格納される。例えば、「商品ＩＤ」が「１００１」のレコードの場合、「規格」フィールドには「１００ｇあたり」が格納されており、「単価」フィールドの値は１００ｇあたりの価格であることが分かる。
【００５０】
ここで、商品リスト７８の各セル（マス目）７９は、各セル７９に格納された値を変更するためのコマンドボタンとしても機能する。販売員が、例えば「商品ＩＤ」＝「１００１」となるレコードのセル７９ａ（「単価」フィールドに対応）を押すと、セル７９ａは、反転表示されて編集可能状態となるとともに、編集エリア７７には選択されたセル７９ａに格納された値が表示される。そして、販売員が、例えば入力キー２１を使用して新たな単価を入力すると、「単価」フィールドに格納された値が変更される。すなわち、操作画面７０では、各セル７９が押されると、商品名、規格、および単価等のような商品属性の変更処理が可能な状態となる。
【００５１】
さらに、図５に示すように、操作画面７０の下部には、編集エリア７７とともに、イメージ表示エリア７６が設けられている。イメージ表示エリア７６は、販売員が選択したレコードに対応するＰＯＰ広告のプレビューを表示するエリアである。図５に示すように、レイアウト表示エリア７６の画像エリア７６ａには商品の画像データが、商品名エリア７６ｂには商品名が、単価エリア７６ｃには単位量あたりの価格が、それぞれ表示される。
【００５２】
なお、リスト７８から選択された商品について、ＰＯＰ広告のレイアウトを変更する場合、販売員は、イメージ表示ボタン７３を押して、販売員側表示部２２に操作画面８０を表示させる。
【００５３】
操作画面８０は、主として、操作画面７０で選択された商品についてのレイアウト変更に使用される。図６に示すように、操作画面（第２操作画面）８０の上部には、操作画面７０に戻るための終了ボタン８１と、作成されたＰＯＰ広告を印刷するための印刷ボタン８２と、作成されたＰＯＰ広告を保存するための保存ボタン８４と、が設けられている。
【００５４】
また、ボタン８１、８２、８４の下方であって、操作画面８０の左側には、レイアウト表示エリア８６が設けられている。図６に示すように、レイアウト表示エリア８６の画像エリア８６ａには商品の画像データが、商品名エリア８６ｂには商品名が、単価エリア８６ｃには単位量あたりの価格が、それぞれ表示される。
【００５５】
販売員は、レイアウト表示エリア８６に表示されたＰＯＰ広告の各要素（例えば、画像エリア８６ａの画像）について、エリア内で移動させたり拡大縮小することにより、各要素の配置や大きさを調整することができる。
【００５６】
さらに、ボタン８１、８２、８４の下方であって、操作画面８０の右側には、上から順に、商品属性エリア８５、および編集エリア８７が表示される。
【００５７】
商品属性エリア８５は、操作画面７０で選択された商品レコードの各フィールドを、転置させつつ表示する領域であり、右側の列には、選択された商品の属性が表示される。また、右側の列の各セル８９は、各セル８９に格納された値を変更するためのコマンドボタンとしても機能する。
【００５８】
販売員が、例えばセル８９ａを押すと、セル８９ａは反転表示されて編集可能状態となるとともに、選択されたセル８９ａに格納された値が編集エリア８７に表示される。そして、販売員が、例えば入力キー２１を使用して新たな単価を入力すると、セル８９ａのに格納された値（商品の単価）が変更される。すなわち、操作画面８０では、各セル８９が押されると、商品名、規格、および単価等のような商品属性の変更処理が可能な状態となる。
【００５９】
このように、販売員側表示部２２は、タッチパネル機能を使用した入力に基づいて、商品の計量処理の操作画面６０と、ＰＯＰ広告の作成処理用の操作画面７０、８０と、を切替表示可能とされている。これにより、販売員が、例えば、顧客の購買意欲に応じて商品価格を変更した場合において、バックヤードや事務所に行くことなく、即時にＰＯＰ広告を作成することができ、顧客のニーズに迅速に対応することができる。そのため、商品の販売促進効果を有効に高めることができるとともに、顧客へのサービスを向上させることができる。
【００６０】
計量処理制御部４５は、図２に示すように、信号線４０ａを介して計量部１０と電気的に接続されている。これにより、計量処理制御部４５は、計量部１０のロードセル（図示省略）から出力される電気量に基づき、各商品の重量値を演算することができる。また、計量処理制御部４５は、計量された商品の重量値と、商品の単価とに基づいて商品価格（値段）を演算することができる。
【００６１】
印刷処理制御部４６は、図２に示すように、信号線４０ａを介してラベル印刷部３０、およびＰＯＰ広告印刷部５０と電気的に接続されている。これにより、ラベル印刷部３０およびＰＯＰ広告印刷部５０は、印刷処理制御部４６からの印刷信号（印刷データ）に基づいた情報を印刷することができる。
【００６２】
作成部４７は、計量部１０で計量可能な商品について、ＰＯＰ広告を作成する処理を実行する。作成部４７は、操作画面６０（図４参照）のＰＯＰ広告作成ボタン６９ａが押されることによって起動し、販売員側表示部２２に操作画面７０（図５参照）を表示させる。これにより、作成部４７は、ＰＯＰ広告の作成処理が可能な状態となる。
【００６３】
販売員は、操作画面７０および操作画面８０に表示された内容に基づき、販売員側表示部２２のタッチパネル機能および入力キー２１を使用した入力作業を行うことにより、所望のＰＯＰ広告を作成することができる。
【００６４】
抽出部４８は、「商品ＩＤ」をキーとして商品テーブル４３ａの各レコードを検索することにより、販売員側表示部２２のタッチパネル機能を使用して入力されたデータ、または、入力キー２１からの入力されたデータと一致するレコードを抽出する。そして、抽出部４８は、抽出されたレコードから「画像データ格納場所」の値を取得する。
【００６５】
報知部４９は、操作画面６０（図４参照）で選択された商品につき、該商品の単価等の商品属性が変更された場合において、ＰＯＰ広告の作成処理を実行すべき旨を販売員に対して報知する。
【００６６】
図７は、販売員側表示部２２に表示される報知ダイアログ４９ａの一例を示す図である。報知ダイアログ４９ａが表示された場合において、「はい」ボタン４９ｂが押されると、ＰＯＰ広告作成ボタン６９ａが押された場合と同様な処理が実行され、販売員側表示部２２に操作画面７０が表示される。これにより、販売員は、ＰＯＰ広告に記載された商品属性と、計量処理で使用される商品属性とが不整合となることを未然に防止することができる。これに対して、報知ダイアログ４９ａの「いいえ」ボタン４９ｃが押されると、報知ダイアログ４９ａが閉じられ、操作画面６０による計量処理が可能な状態となる。
【００６７】
＜３．計量処理と作成処理との連携＞
ここでは、商品の計量処理と、ＰＯＰ広告の作成処理と、の連携について説明する。本実施の形態の計量装置１において、操作画面６０のＰＯＰ広告作成ボタン６９ａが押されると、操作画面（第２操作画面）７０のイメージ表示エリア７６には、操作画面７０に切り替えられる直前の操作画面（第１操作画面）６０において選択された商品のプレビューが表示される。すなわち、作成部４７は、操作画面７０に切り替えられる直前の操作画面６０で選択されていた商品につき、該商品のＰＯＰ広告を作成可能な状態となる。そのため、操作画面６０で選択された商品について容易にＰＯＰ広告を作成することができる。
【００６８】
また、操作画面７０に切り替えられる直前の操作画面６０で選択された商品について、この切替直前の操作画面６０において商品の属性が変更された場合、操作画面７０のリスト７８の対応するセル７９が変更され、作成部４７は、変更された商品属性に基づいたＰＯＰ広告を作成することができる。
【００６９】
例えば、操作画面６０において「ポテトサラダ」が選択された場合において、単価エリア６４が押されて商品の単価が変更され、続いて、ＰＯＰ広告作成ボタン６９ａが押されたとき、切替表示された操作画面７０のセル７９ａが変更後の単価に変更される。
【００７０】
このように、計量装置１では、操作画面６０で変更された属性（商品の単価、および商品名等）をＰＯＰ広告の作成処理に反映させることができる。そのため、販売員は、ＰＯＰ広告をさらに容易に作成することができ、販売員の作業工数を低減させることができる。
【００７１】
また、操作画面７０および操作画面８０によって作成されるＰＯＰ広告の画像エリア７６ａ、８６ａには、大容量記憶部４３に格納された画像データが貼付されるようにしてもよい。
【００７２】
すなわち、操作画面６０の各商品ボタン６６が押されて商品が選択されると、制御部４０のメモリ４１には、商品テーブル４３ａの「商品ＩＤ」に格納されている値のうちいずれかが一時的に格納される。そして、販売員によってＰＯＰ広告作成ボタン６９ａが押されると、メモリ４１に格納された「商品ＩＤ」の値（以下、「入力値」とも呼ぶ）が抽出部４８に入力される。
【００７３】
入力値が与えられた抽出部４８は、「商品ＩＤ」をキーとして検索し、この入力値と一致するレコードを抽出する。次に、抽出されたレコードから「画像データ格納場所」の値が取得される。そして、取得された「画像データ格納場所」によって指定される画像データが、操作画面７０の画像エリア７６ａに貼付される。
【００７４】
このように、抽出部４８は、操作画面（第１操作画面）６０で選択された商品に基づき、該商品と対応する「画像データ格納場所」（画像データ格納情報）を商品テーブル４３ａから抽出可能とされている。また、作成部４７は、操作画面７０に切り替えられる直前の操作画面６０で選択された商品につき、該商品と対応する「画像データ格納場所」にしたがった画像データを使用したＰＯＰ広告を作成することができる。そのため、販売員は、画像データの貼付されたＰＯＰ広告を容易に作成することができ、販売員の作業工数を低減させることができる。
【００７５】
また、上述のようにＰＯＰ広告作成処理用の操作画面７０が表示されている場合において、操作画面７０の終了ボタン７１が押されると、作成処理が終了されるとともに、販売員側表示部２２には計量処理用の操作画面６０が表示される。また、切替後の操作画面６０では、切替直前において操作画面７０で選択された商品（以下、「切替直前商品」とも呼ぶ）が選択され、切替直前商品についての計量処理が実行可能な状態とされる。
【００７６】
また、操作画面（第１操作画面）６０に切り替えられる直前の操作画面（第２操作画面）７０で商品の属性が変更された場合、操作画面６０においても対応する商品の属性が変更される。そして、変更された属性に基づいて計量処理を実行することができる。
【００７７】
例えば、操作画面７０において「商品ＩＤ」が「１００１」のレコード（商品名：「ポテトサラダ」）が選択された状態で、その「単価」が変更された場合において終了ボタン７１が押されると、再表示された操作画面６０には、「ポテトサラダ」が表示され、単価エリア６４の値が、操作画面７０で変更された値となる。そして、計量部１０は、変更された単価に基づいて計量処理を実行することができる。
【００７８】
このように、計量装置１では、操作画面７０で変更された属性（商品の単価、および商品名等）を商品の計量処理に反映することができる。そのため、商品をさらに容易に計量することができる。
【００７９】
＜４．本実施の形態の販売用計量装置の利点＞
以上のように、本実施の形態の計量装置１の販売員側表示部２２は、タッチパネル機能を使用した入力に基づいて、商品の計量処理用の操作画面６０と、ＰＯＰ広告の作成処理用の操作画面７０、８０と、を切替表示可能とされている。これにより、販売員が、例えば顧客の購買意欲に応じて商品価格を変更した場合において、バックヤードや事務所に行くことなく、即時にＰＯＰ広告を作成することができ、顧客のニーズに迅速に対応することができる。そのため、商品の販売促進効果を有効に高めることができるとともに、顧客へのサービスを向上させることができる。
【００８０】
また、作成部４７は、操作画面７０に切り替えられる直前の操作画面６０で選択されていた商品につき、該商品のＰＯＰ広告を作成可能な状態となる。一方、計量部１０は、操作画面６０に切り替えられる直前の操作画面７０で選択されていた商品につき、該商品の計量処理を実行可能な状態となる。このように、本実施の形態では、計量部１０による計量処理と、作成部４７によるＰＯＰ広告の作成処理との連携を良好に図ることができる。そのため、販売員の作業工数を低減させることができ、販売員の作業能率を向上させることができる。
【００８１】
＜５．変形例＞
以上、本発明の実施の形態について説明してきたが、本発明は上記実施の形態に限定されるものではなく様々な変形が可能である。
【００８２】
（１）本実施の形態において、ＰＯＰ広告印刷部５０と計量装置１の本体部９０とは、信号線４０ａによって一対一に接続されているが、これに限定されるものでない。例えば、ＰＯＰ広告印刷部５０と、計量装置１の本体部９０とは、例えば、ＬＡＮ（Local Area Network）を介して接続されていてもよい。この場合、本体部９０（計量装置）と、ネットワークを介して本体部９０と接続されたＰＯＰ広告印刷部５０（印刷装置）とは、計量システムの構成要素となる。
【００８３】
（２）また、本実施の形態において、ＰＯＰ広告は、ＰＯＰ広告印刷部５０で印刷されるものとして説明したが、これに限定されるものでない。例えば、ラベル印刷部３０で印刷してもよい。すなわち、ＰＯＰ広告を印刷する印刷部は、計量装置１の本体部９０に一体的に設けられてもよい。
【図面の簡単な説明】
【００８４】
【図１】本発明の実施の形態における販売用計量装置のハードウェア構成の一例を示す斜視図である。
【図２】販売用計量装置の機能構成の一例を示すブロック図である。
【図３】商品テーブルのデータ構造の一例を示す図である。
【図４】商品の計量処理用の操作画面の一例を示す図である。
【図５】ＰＯＰ広告の作成処理要の操作画面の一例を示す図である。
【図６】ＰＯＰ広告の作成処理要の操作画面の一例を示す図である。
【図７】報知ダイアログの一例を示す図である。
【符号の説明】
【００８５】
１  販売用計量装置
１０  計量部
２０  操作パネル
２１  入力キー
２２  販売員側表示部
２５  計量情報表示部
３０  ラベル印刷部
４０  制御部
４３  大容量記憶部
４３ａ  商品テーブル（データベース）
４３ｂ  画像データ
４７  作成部
４８  抽出部
４９  報知部
４９ａ  報知ダイアログ
５０  ＰＯＰ広告印刷部
６０、７０、８０  操作画面
６９ａ  ＰＯＰ広告作成ボタン
７５  商品リストエリア
７６  イメージ表示エリア
８５  商品属性エリア
８６  レイアウト表示エリア
【図１】
2007225475.tif 000003
【図２】
2007225475.tif 000004
【図３】
2007225475.tif 000005
【図４】
2007225475.tif 000006
【図５】
2007225475.tif 000007
【図６】
2007225475.tif 000008
【図７】
2007225475.tif 000009